(57)【特許請求の範囲】
【請求項１】
ブリッジが一対の眼鏡レンズ間に直接架設されるとともに、テンプルが各メガネレンズに直接取り付けられる縁なし眼鏡であって、ブリッジおよびテンプルのいずれか一方または双方と眼鏡レンズとの間に両者を連結する連結構造が介設され、この連結構造は、眼鏡レンズの両側部に幅方向に延びるように凹設された装着溝と、この装着溝の基端側に穿設された第一貫通孔と、ブリッジおよびテンプルのいずれか一方または双方の側部に設けられた、上記装着溝に嵌り込む断面視で矩形状の係止突条と、この係止突条の先端側に延設された、上記第一貫通孔に対応する第二貫通孔を備えた座金と、上記第一および第二貫通孔に挿通して眼鏡レンズとブリッジおよびテンプルのいずれか一方または双方とを互いに連結する止着部材とが備えられ、上記装着溝の溝底は、当該装着溝の延びる方向に直交する断面形状が先窄まり状に形成され、上記係止突条は、上記溝底に対向した一対の角部が当該溝底に線接触で当接されていることを特徴とする縁なし眼鏡。
【請求項２】
上記装着溝は、眼鏡レンズの表面側に設けられていることを特徴とする請求項１記載の縁なし眼鏡。
【請求項３】
上記止着部材は、上記第一および第二貫通孔に貫通され得る長さ寸法を備えた、一端に頭部を有するナット部材と、このナット部材に螺着されるビスとから構成されていることを特徴とする請求項１または２記載の縁なし眼鏡。
【請求項４】
上記装着溝の先窄まりの溝底形状は、円弧状であることを特徴とする請求項１乃至３のいずれかに記載の縁なし眼鏡。
【発明の詳細な説明】
【０００１】
【発明の属する技術分野】
本発明は、眼鏡レンズの周縁部にリムが設けられていない、いわゆる縁なし眼鏡に関するものである。
【０００２】
【従来の技術】
従来、図６に示すような縁なし眼鏡が知られている。この縁なし眼鏡１００は、図６の（イ）に示すように、左右一対の眼鏡レンズ１０１と、これら眼鏡レンズ１０１間に架設されたブリッジ１０２と、各眼鏡レンズ１０１の側部に取り付けられた一対のテンプル１０３とからなってるとともに、眼鏡レンズ１０１とブリッジ１０２およびテンプル１０３との間には、これらを互いに連結する連結構造１１０が設けられている。
【０００３】
図６の（ロ）は、従来の連結構造１１０を説明するための図６の（イ）のＡ−Ａ線視の拡大断面図であるが、この図に示すように、連結構造１１０は、眼鏡レンズの側部に幅方向（図６の（ロ）の紙面に直交する方向）に延びるように凹設された装着溝１１１と、この装着溝の基端側（図６の（ロ）の紙面の裏面側）に穿設された第一貫通孔１１２と、テンプル１０３の基端部に上記装着溝１１１に嵌り込むように設けられた係止突条１１３と、この係止突条１１３の先端側に延設され、かつ、上記第一貫通孔１１２に対応する第二貫通孔１１４を備えた座金１１５と、上記第一および第二貫通孔１１２，１１４に挿通して眼鏡レンズ１０１とテンプル１０３とを互いに連結するビス１１６およびこのビス１１６に螺着されるナット１１７とを備えて構成されている。
【０００４】
上記装着溝１１１は、断面視で矩形状に形成された角溝によって形成されているとともに、上記係止突条１１３は、断面視で矩形状に形成され、かつ、摺接状態で装着溝１１１に嵌り込むように寸法設定されている。従って、係止突条１１３を装着溝１１１に嵌め込んだ状態で、座金１１５の第二貫通孔１１４および眼鏡レンズ１０１の第一貫通孔１１２にビス１１６を差し通してナット１１７で螺着締結することにより、テンプル１０３が眼鏡レンズ１０１に直接連結されることになる。
【０００５】
なお、ブリッジ１０２と眼鏡レンズ１０１との連結構造についてもテンプル１０３と眼鏡レンズ１０１との連結構造１１０と全く同様であるから説明は省略する。
【０００６】
【発明が解決しようとする課題】
ところで、上記のような従来の連結構造１１０においては、眼鏡レンズ１０１の装着溝１１１は、やすり等の切削工具を用いて凹設されるとともに、テンプル１０３の係止突条１１３もやすり等の切削工具で寸法調製されるが、これらの加工精度にはばらつきが存在するのが普通であるため、係止突条１１３を装着溝１１１に嵌め込んだ状態で、係止突条１１３と装着溝１１１の溝壁との間には、図６の（ロ）に示すように、僅かではあるが隙間ｄが形成される。
【０００７】
そして、上記のような隙間ｄが形成されると、ブリッジ１０２およびテンプル１０３はビス１１６回りに正逆回動し得るため、ブリッジ１０２やテンプル１０３のがたつきの原因になる。
【０００８】
また、係止突条１１３の図６の（ロ）における右端縁部と装着溝１１１の溝底面とは、必ずしも面接触するとは限らず、図６の（ロ）に示すように点接触するのが普通である。係止突条１１３の右端縁部と装着溝１１１の溝底面とが点接触すると、係止突条１１３はこの接触点回りに揺動し得るようになり、これもブリッジ１０２やテンプル１０３のがたつきの原因になる。
【０００９】
そして、係止突条１１３と装着溝１１１の溝壁との隙間ｄは、たとえ１０μｍ程度の僅かなものであっても、この部分でのがたつきは、テンプル１０３の長さ寸法と装着溝１１１の溝深さとの比としてテンプル１０３の先端に伝達されるため、テンプル１０３の先端は非常に大きく振れることになる。例えば、隙間ｄを１０μｍ（０．０１ｍｍ）、装着溝１１１の溝深さを１．０ｍｍ、テンプル１０３の長さを１４０ｍｍとすると、係止突条１１３の１０μｍのがたつきによってテンプル１０３の先端は、
０．０１ｍｍ（１０μｍ）×（１４０ｍｍ／１．０ｍｍ）＝１．４ｍｍ
の振幅（変位量は２倍の２．８ｍｍ）で振れることになる。
【００１０】
この振れ量は、縁なし眼鏡１００の使用時には支障のないものではあるが、左右のテンプル１０３を左右の手で把持し、ビス１１６を支点として互いに逆方向に往復動させると、各テンプル１０３は互いに反対方向に大きく振れるため、高級感に乏しく、商品価値が下落するという問題点が生じる。
【００１１】
このことについては、眼鏡レンズ１０１とブリッジ１０２との間の連結においても同様である。
【００１２】
本発明は、上記のような問題点を解消するためになされたものであり、ブリッジあるいはテンプルと眼鏡レンズとの間の結合が確実に行われ、ブリッジあるいはテンプルと眼鏡レンズとの間で生じるがたつきを最小限に抑えることが可能な縁なし眼鏡を提供することを目的としている。
【００１３】
【課題を解決するための手段】
請求項１記載の発明は、ブリッジが一対の眼鏡レンズ間に直接架設されるとともに、テンプルが各メガネレンズに直接取り付けられる縁なし眼鏡であって、ブリッジおよびテンプルのいずれか一方または双方と眼鏡レンズとの間に両者を連結する連結構造が介設され、この連結構造は、眼鏡レンズの両側部に幅方向に延びるように凹設された装着溝と、この装着溝の基端側に穿設された第一貫通孔と、ブリッジおよびテンプルのいずれか一方または双方の側部に設けられた、上記装着溝に嵌り込む断面視で矩形状の係止突条と、この係止突条の先端側に延設された、上記第一貫通孔に対応する第二貫通孔を備えた座金と、上記第一および第二貫通孔に挿通して眼鏡レンズとブリッジおよびテンプルのいずれか一方または双方とを互いに連結する止着部材とが備えられ、上記装着溝の溝底は、当該装着溝の延びる方向に直交する断面形状が先窄まり状に形成され、上記係止突条は、上記溝底に対向した一対の角部が当該溝底に線接触で当接されていることを特徴とするものである。
【００１４】
この発明によれば、係止突条が装着溝に嵌め込まれ、第一および第二貫通孔に止着部材が挿通されて止着されて縁なし眼鏡が組み付けられた状態では、係止突条の各先端縁部が装着溝の先窄まりの部分に線接触で押圧当止された状態になっているため、たとえ係止突条と装着溝の溝壁との間に隙間が存在しても、この隙間が埋められるようには係止突条が変位することはなく、眼鏡レンズに対してテンプルやブリッジががたつくような不都合が確実に回避される。
【００１５】
従って、従来、眼鏡レンズに対してテンプルやブリッジが振れることにより、縁なし眼鏡の高級感が損なわれて商品価値が低下するような不都合が生じたが、請求項１発明によれば、かかる不都合は解消され、縁なし眼鏡に高級感が付与される。
【００１６】
また、係止突条および装着溝の加工精度を高くしなくても、ブリッジおよびテンプルのがたつきを抑えることが可能であるため、高精度であることに意を払う必要がなくなり、その分加工作業が容易になって作業効率が向上するとともに、非熟練者であっても不都合なく作業し得るようになる。
【００１７】
請求項２記載の発明は、請求項１記載の発明において、上記装着溝は、眼鏡レンズの表面側に設けられていることを特徴とするものである。
【００１８】
この発明によれば、テンプルの場合は、その基端側が略直角に折り返されてこの折り返された部分が眼鏡レンズの表面側に位置した状態でテンプルが眼鏡レンズに連結されるとともに、ブリッジの両側部も同様に眼鏡レンズの表面側に位置するため、これらがメガネレンズの裏面側に設けられた場合に比べて眼鏡の見栄えがよくなる。
【００１９】
請求項３記載の発明は、請求項１または２記載の発明において、上記止着部材は、上記第一および第二貫通孔に貫通され得る長さ寸法を備えた、一端に頭部を有するナット部材と、このナット部材に螺着されるビスとから構成されていることを特徴とするものである。
【００２０】
この発明によれば、ナット部材の全外周面を第一および第二貫通孔の内周面に密着させることができるため、ビスそのものを第一および第二貫通孔に挿通した場合に比較し、内外の周面の接触面積が多くなった分、テンプルあるいはブリッジと眼鏡レンズとの間の結合状態がより安定したものになる。
【００２１】
請求項４記載の発明は、請求項１乃至３のいずれかに記載の発明において、上記装着溝の先窄まりの溝底形状は、円弧状であることを特徴とするものである。
【００２２】
この発明によれば、丸やすりをその軸心方向に往復動させることにより眼鏡レンズの表面を切削することで溝底が円弧状の装着溝を容易に凹設することができ、装着溝の切削加工の作業性が良好になる。
【００２３】
また、装着溝の溝底が円弧状であるためこの部分への応力の集中が起り難くなり、溝底の隅部から亀裂が入って眼鏡レンズが破損するような不都合の発生が防止される。
【００２４】
【発明の実施の形態】
図１は、本発明に係る縁なし眼鏡１０の一実施形態に係る分解斜視図であり、図２はその組立て斜視図である。これらの図に示すように、縁なし眼鏡１０は、左右一対の眼鏡レンズ２０と、これら眼鏡レンズ２０間に架設されるブリッジ３０と、各眼鏡レンズ２０の側部に取り付けられる左右一対のテンプル４０と、眼鏡レンズ２０とブリッジ３０の間および眼鏡レンズ２０とテンプル１０３との間にそれぞれ介設される連結構造５０とを備えた基本構成を有している。連結構造５０は、眼鏡レンズ２０とブリッジ３０とを互いに連結するとともに、眼鏡レンズ２０とテンプル４０とを互いに連結するためのものである。
【００２５】
上記眼鏡レンズ２０には、その周縁部にリムが設けられずに連結構造５０を介してブリッジ３０およびテンプル４０が直接連結されている。かかる眼鏡レンズ２０は、左右両側部に形成された連結構造５０の構成要素である装着溝５１および第一貫通孔５２を有している。装着溝５１は、眼鏡レンズ２０の表面側において左右両側部から互いに対向する方向に向けて所定の寸法（本実施形態では深さおよび溝幅寸法が略１ｍｍで長さ寸法が略５ｍｍに設定されている）で切り込まれて形成されているとともに、第一貫通孔５２は、これら装着溝５１の基端側（眼鏡レンズ２０の内側）端部に穿設されている。本実施形態においては、第一貫通孔５２の直径は略２ｍｍに寸法設定されている。
【００２６】
上記装着溝５１は、ブリッジ３０を眼鏡レンズ２０に連結するために用いられるブリッジ用装着溝５１ａと、テンプル４０を眼鏡レンズ２０に連結するために用いられるテンプル用装着溝５１ｂとからなっているとともに、上記第一貫通孔５２も、上記と同様にブリッジ用第一貫通孔５２ａと、テンプル用第一貫通孔５２ｂとからなっている。
【００２７】
上記ブリッジ３０は、平面視でＵ字状を呈したブリッジ本体３１と、このブリッジ本体３１の両側部から下方に垂下した左右一対の垂下杆３２と、各垂下杆３２の下端部から後方（図１における眼鏡レンズ２０に向かう方向）に向かったのち下方に向けて折れ曲がったパッド支持杆３３と、各パッド支持杆３３の下端部に互いに対向するように付設された鼻梁挟持用の一対のノーズパッド３４と、各垂下杆３２の下端部から前方に向かったのち互いに離反する方向に向けて折れ曲がったブリッジ側連結杆３５とからなっている。
【００２８】
上記ブリッジ側連結杆３５は、ブリッジ３０を眼鏡レンズ２０に連結するためのものである。図３は、ブリッジ３０と眼鏡レンズ２０との連結に係る連結構造５０を説明するための部分拡大斜視図であり、（イ）は、ブリッジ３０が眼鏡レンズ２０に連結される直前の状態、（ロ）は、ブリッジ３０が眼鏡レンズ２０に連結された状態をそれぞれ示している。
【００２９】
上記ブリッジ側連結杆３５は、図３の（イ）に示すように、その背面側（図３の（イ）における眼鏡レンズ２０に対向した側）に突設された、軸心方向に延びる係止突条５３（ブリッジ側係止突条５３ａ）と、ブリッジ側係止突条５３ａの先端に形成された座金５４（ブリッジ側座金５４ａ）とを有している。
【００３０】
上記ブリッジ側係止突条５３ａは、連結構造５０を構成する構成要素の一つであり、厚み寸法が眼鏡レンズ２０に凹設された上記装着溝５１の溝幅寸法より僅かに薄く寸法設定されているとともに、長さ寸法は装着溝５１の長さ寸法より僅かに長く寸法設定され、これによってブリッジ用装着溝５１ａに嵌め込み得るようになっている。
【００３１】
上記ブリッジ側座金５４ａも連結構造５０を構成する構成要素の一つであり、外径がブリッジ用第一貫通孔５２ａの内径より若干大き目に寸法設定された円形とされ、中心位置にブリッジ用第一貫通孔５２ａと同一内径寸法に設定された第二貫通孔５５（ブリッジ側第二貫通孔５５ａ）が穿設されている。
【００３２】
従って、図３の（イ）に示す状態において、ブリッジ側係止突条５３ａをブリッジ用装着溝５１ａに嵌め込んだ上で止着部材５６をブリッジ用第一貫通孔５２ａおよびブリッジ側第二貫通孔５５ａに差し通して止着することにより、図３の（ロ）に示すように、眼鏡レンズ２０とブリッジ３０とが互いに連結された状態になる。
【００３３】
上記止着部材５６は、連結構造５０を構成する構成要素の一つであり、本実施形態においては、ナット部材５７と、このナット部材５７に螺着されるビス５８とから構成されている。ナット部材５７は、長さが眼鏡レンズ２０の厚みに座金５４の厚みを加えた長さより若干短めに寸法設定された円筒ナット５７ａと、この円筒ナット５７ａの一方の端部に形成された頭部５７ｂとからなっている。円筒ナット５７ａは、外径寸法が第一貫通孔５２に摺接状態で嵌入し得るように寸法設定されている。
【００３４】
上記ビス５８は、周面にナット部材５７のねじ孔の雌ねじに対応するように雄ねじの螺設されたビス本体５８ａと、このビス本体５８ａの端部に形成された頭部５８ｂとからなっている。従って、係止突条５３が装着溝５１に嵌め込まれることにより座金５４が眼鏡レンズ２０の表面に積層された状態で円筒ナット５７ａを眼鏡レンズ２０および座金５４の第一および第二貫通孔５２，５５に差し通した状態で、ビス本体５８ａを円筒ナット５７ａのねじ孔に螺着して締結することにより、図３の（ロ）に示すように、眼鏡レンズ２０とブリッジ３０とが互いに連結されることになる。
【００３５】
そして、ナット部材５７は、周面に凹凸がなくて滑らかな円筒ナット５７ａが第一および第二貫通孔５２，５５に摺接状態で嵌入されるようになっているため、螺旋状に凹凸が形成されたねじの周面が第一および第二貫通孔５２，５５の内周面に当接する場合に比較し、振れが生じ難いより安定した嵌入状態を得ることが可能になり、この部分での眼鏡レンズ２０とブリッジ３０との間の振れが確実に防止される。
【００３６】
上記テンプル４０は、図１および図２に示すように、ばね性を備えた真っ直ぐな針金状のテンプル本体４１と、このテンプル本体４１の後端部から下方に向けて湾曲するように延設されたイアピース４２と、テンプル本体４１の前端部に接続されたエンドピース４３とからなっている。
【００３７】
上記エンドピース４３は、テンプル４０を眼鏡レンズ２０に接続するためのものであり、略直角に折り曲げられて形成され、基端側がテンプル本体４１の前端部に蝶番構造を介して接続軸４４回りに所定の範囲で相対回動自在に接続され、これによって一対のテンプル４０が眼鏡レンズ２０と略平行になるように折り畳まれた収納姿勢と、眼鏡レンズ２０に対して略直交するように互いに開かれた図２に示す展開姿勢との間で姿勢変更し得るようになっている。
【００３８】
上記エンドピース４３の先端側には、テンプル４０を眼鏡レンズ２０に連結するためのテンプル側連結杆４５が設けられている。図４は、テンプル４０と眼鏡レンズ２０との連結に係る連結構造５０を説明するための部分拡大斜視図であり、（イ）は、テンプル４０が眼鏡レンズ２０に連結される直前の状態、（ロ）は、テンプル４０が眼鏡レンズ２０に連結された状態をそれぞれ示している。
【００３９】
上記テンプル側連結杆４５は、図４の（イ）に示すように、その背面側（図４の（イ）における眼鏡レンズ２０に対向した側）に突設された、軸心方向に延びる係止突条５３（テンプル側係止突条５３ｂ）と、テンプル側係止突条５３ｂの先端に形成された座金５４（テンプル側座金５４ｂ）とを有している。
【００４０】
上記テンプル側係止突条５３ｂは、連結構造５０を構成する構成要素の一つであり、厚み寸法が眼鏡レンズ２０に凹設された上記装着溝５１（テンプル用装着溝５１ｂ）の溝幅寸法より僅かに薄く寸法設定されているとともに、長さ寸法はテンプル用装着溝５１ｂの長さ寸法より僅かに長く寸法設定され、これによってテンプル用装着溝５１ｂに嵌め込み得るようになっている。
【００４１】
上記テンプル側座金５４ｂも連結構造５０を構成する構成要素の一つであり、外径がブリッジ用第一貫通孔５２ａの内径より若干大き目に寸法設定された円形とされ、中心位置にブリッジ用第一貫通孔５２ａと同一内径寸法に設定された第二貫通孔５５（ブリッジ側第二貫通孔５５ａ）が穿設されている。
【００４２】
従って、図４の（イ）に示す状態において、テンプル側係止突条５３ｂをテンプル用装着溝５１ｂに嵌め込んだ上で円筒ナット５７ａをテンプル用第一貫通孔５２ｂおよびテンプル側第二貫通孔５５ｂに差し通してビス５８によって止着することにより、図４の（ロ）に示すように、眼鏡レンズ２０とテンプル４０とが止着部材５６によって互いに連結された状態になる。
【００４３】
以上の説明において必要の都度部分的に連結構造５０について説明してきたが、以下、連結構造５０についてまとめて説明する。図５は、連結構造５０の一実施形態を示す図であり、（イ）は、平面視の断面図、（ロ）は、正面図、（ハ）は、側面視の断面図である。図５の（イ）および（ロ）に示すように、連結構造５０は、眼鏡レンズ２０の両側部に幅方向に延びるように凹設された装着溝５１と、この装着溝５１の基端側（図５の（イ）の左側）における眼鏡レンズ２０表面に穿設された第一貫通孔５２と、ブリッジ３０およびテンプル４０に設けられた、上記装着溝５１に嵌り込む係止突条５３と、この係止突条５３の先端側に延設された、上記第一貫通孔５２に対応する第二貫通孔５５を備えた座金５４と、上記第一および第二貫通孔５５に挿通して眼鏡レンズ２０とブリッジおよびテンプルのいずれか一方または双方とを互いに連結する止着部材５６とを備えて構成されている。
【００４４】
そして、連結構造５０の各構成要素（装着溝５１、第一貫通孔５２、係止突条５３、座金５４、第二貫通孔５５および止着部材５６）については先にすでに説明済みであるが、本発明に係る連結構造５０において最も特徴的な事項は、図５の（ハ）に示すように、装着溝５１が、断面視で先窄まり状に形成された円弧溝によって形成されている点である。
【００４５】
すなわち、装着溝５１は、開口部近傍の溝壁が互いに平行で対向した平行溝部５１０と、この平行溝部５１０に連設された溝底が円弧状の円弧溝部５１１とからなっている。平行溝部５１０は、溝深さが断面視で矩形状を呈した係止突条５３の、連結杆３５，４５からの突出量より浅く寸法設定されているとともに、円弧溝部５１１は、溝壁が平行溝部５１０の対向壁から連続するように円弧状に切り込まれて形成されている。すなわち、上記装着溝５１の溝底は、当該装着溝５１の延びる方向に直交する断面形状が円弧状に形成されているのである。
【００４６】
かかる装着溝５１は、二股状の所定の案内治具を用い、この案内治具を眼鏡レンズ２０の表面の溝を形成するべき位置に押し当てた状態で、二股状の隙間部分に丸やすりを嵌め込み、案内治具の二股内の対向壁に案内させながら丸やすりを眼鏡レンズ２０の表面に押し当てて往復動させる、いわゆるやすり掛けの切削処理で容易に凹設することができる。
【００４７】
このような装着溝５１の溝形状によれば、係止突条５３が装着溝５１に嵌め込まれ、座金５４が眼鏡レンズ２０および座金５４に貫通されて締結された状態で、図５の（ハ）に示すように、係止突条５３の先端の上下の角部が装着溝５１の円弧溝部５１１の表面に押圧当接した状態になるため（すなわち二点接触の状態になるため）、係止突条５３は、装着溝５１の溝幅方向へ向かう揺動が阻止される。
【００４８】
従って、たとえ装着溝５１の平行溝部５１０の溝壁と係止突条５３との間に隙間が存在しても、連結杆３５，４５が眼鏡レンズ２０に対して振れるような不都合は起こらず、ブリッジ３０およびテンプル４０のがたつきを有効に防止することができる。
【００４９】
以上詳述したように、本発明の縁なし眼鏡１０は、ブリッジ３０が一対の眼鏡レンズ２０間に直接架設されるとともに、テンプル４０が各メガネレンズに直接取り付けられものであり、ブリッジ３０およびテンプル４０と眼鏡レンズ２０との間に両者を連結する連結構造５０が介設され、この連結構造５０は、眼鏡レンズ２０の両側部に幅方向に延びるように凹設された装着溝５１と、この装着溝５１の基端側に穿設された第一貫通孔５２と、ブリッジ３０およびテンプル４０の側部に設けられた、装着溝５１に嵌り込む係止突条５３と、この係止突条５３の先端側に延設された、第一貫通孔５２に対応する第二貫通孔５５を備えた座金５４と、第一および第二貫通孔５２，５５に挿通して眼鏡レンズ２０とブリッジ３０およびテンプル４０とを互いに連結する止着部材５６とから構成し、装着溝５１の溝底形状を、当該装着溝５１の延びる方向に直交する断面形状が円弧状になるように形成したため、係止突条５３が装着溝５１に嵌め込まれ、第一および第二貫通孔５２，５５に止着部材５６が挿通されて止着されて縁なし眼鏡１０が組み付けられた状態では、係止突条５３の各先端縁部が装着溝５１の円弧状の部分に線接触で押圧当止された状態になっており、、たとえ係止突条５３と装着溝５１の溝壁との間に隙間が存在しても、この隙間が埋められるようには係止突条５３が変位することはなく、眼鏡レンズ２０に対してテンプル４０やブリッジ３０ががたつくような不都合を確実に回避することができる。
【００５０】
従って、従来、眼鏡レンズ２０に対してテンプル４０やブリッジ３０が振れることにより、縁なし眼鏡１０の高級感が損なわれて商品価値が低下するような不都合が生じたが、請求項１発明によれば、かかる不都合は解消され、縁なし眼鏡１０に高級感を付与することができる。
【００５１】
また、装着溝５１を眼鏡レンズ２０の表面側に設けたため、テンプル４０の場合は、その基端側が略直角に折り返された状態で、この折り返された部分が眼鏡レンズ２０の表面側に位置した状態でテンプル４０が眼鏡レンズ２０に連結されるとともに、ブリッジ３０の両側部も同様に眼鏡レンズ２０の表面側に位置し、これによって眼鏡の見栄えを良好にすることができる。
【００５２】
また、止着部材５６を第一および第二貫通孔５２，５５に貫通され得る長さ寸法を備えた、一端に頭部を有するナット部材５７と、このナット部材５７に螺着されるビス５８とから構成したため、ナット部材５７の全外周面を第一および第二貫通孔５２，５５の内周面に密着させることができ、ビス５８そのものを第一および第二貫通孔５２，５５に挿通した場合に比較し、内外の周面の接触面積が多くなった分、テンプル４０あるいはブリッジ３０と眼鏡レンズ２０との間の結合状態をより安定したものにすることができる。
【００５３】
本発明は、上記の実施形態に限定されるものではなく、以下の内容をも包含するものである。
【００５４】
（１）上記の実施形態においては、ブリッジ３０およびテンプル４０の双方が、本発明に係る連結構造５０を介して眼鏡レンズ２０に連結されているが、本発明は、ブリッジ３０およびテンプル４０の双方を、連結構造５０を介して眼鏡レンズ２０に連結することに限定されるものではなく、いずれか一方のみを連結構造５０を介して眼鏡レンズ２０に連結することも本願発明の技術的範囲に含まれる。
【００５５】
（２）上記の実施形態においては、装着溝５１は、平行溝部５１０と円弧溝部５１１とから構成しているが、本発明は、装着溝５１が平行溝部５１０と円弧溝部５１１とから構成されることに限定されるものではなく、平行溝部５１０を設けることなく円弧溝部５１１のみによって装着溝５１を構成してもよい。
【００５６】
（３）上記の実施形態においては、装着溝５１は溝底が円弧状で先窄まりの円弧溝部５１１によって形成されているが、本発明は、先窄まりの溝底が円弧状であることに限定されるものではなく、直線状の溝壁によって先窄まりに形成されていてもよい。
【００５７】
【発明の効果】
請求項１記載の発明によれば、眼鏡レンズに凹設された装着溝の溝底は、当該装着溝の延びる方向に直交する断面形状が先窄まり状に形成されているため、係止突条が装着溝に嵌め込まれ、第一および第二貫通孔に止着部材が挿通されて止着されて縁なし眼鏡が組み付けられた状態で、係止突条の各先端縁部が装着溝の先窄まりの部分に線接触で押圧当止された状態になり、従って、たとえ係止突条と装着溝の溝壁との間に隙間が存在しても、この隙間が埋められるようには係止突条が変位することはなく、眼鏡レンズに対するテンプルやブリッジのがたつきを確実に防止することができる。
【００５８】
従って、従来、眼鏡レンズに対してテンプルやブリッジが振れることにより、縁なし眼鏡の高級感が損なわれて商品価値が低下するような不都合が生じたが、このような不都合は解消され、縁なし眼鏡に高級感を付与して商品価値の低下を抑えることができる。
【００５９】
また、係止突条および装着溝の加工精度を高くしなくても、ブリッジおよびテンプルのがたつきを抑えることが可能であるため、高精度であることに意を払う必要がなくなり、非熟練者であっても不都合なく作業を行うことができるばかりか、作業効率の向上にも貢献することができる。
【００６０】
請求項２記載の発明によれば、装着溝を眼鏡レンズの表面側に設けたため、テンプルの場合は、その基端側が略直角に折り返され、この部分が眼鏡レンズの表面側に位置した状態でテンプルが眼鏡レンズに連結されるとともに、ブリッジの両側部も同様に眼鏡レンズの表面側に位置するため、眼鏡の外観視を見栄えよくすることができる。
【００６１】
請求項３記載の発明によれば、止着部材を、第一および第二貫通孔に貫通され得る長さ寸法を備えた、一端に頭部を有するナット部材と、このナット部材に螺着されるビスとから構成したため、ナット部材の全外周面を第一および第二貫通孔の内周面に密着させることができ、周面に螺旋状の凹凸のあるビスそのものを第一および第二貫通孔に挿通した場合に比較し、内外の周面の接触面積が多くなった分、テンプルあるいはブリッジと眼鏡レンズとの間の結合状態をより安定したものにすることができる。
【００６２】
請求項４記載の発明によれば、装着溝の先窄まりの溝底形状を円弧状にしたため、丸やすりをその軸心方向に往復動させることにより眼鏡レンズの表面を切削することで溝底が円弧状の装着溝を容易に凹設することができ、装着溝の切削加工の作業性を良好なものにすることができる。
【００６３】
また、装着溝の溝底が円弧状であるためこの部分への応力の集中が起り難くなり、溝底の隅部から亀裂が入って眼鏡レンズが破損するような不都合の発生を確実に防止することができる。
【図面の簡単な説明】
【図１】  本発明に係る縁なし眼鏡の一実施形態に係る分解斜視図である。
【図２】  図１に示す縁なし眼鏡の組立て斜視図である。
【図３】  ブリッジと眼鏡レンズとの連結に係る連結構造を説明するための部分拡大斜視図であり、（イ）は、ブリッジが眼鏡レンズに連結される直前の状態、（ロ）は、ブリッジが眼鏡レンズに連結された状態をそれぞれ示している。
【図４】  テンプルと眼鏡レンズとの連結に係る連結構造を説明するための部分拡大斜視図であり、（イ）は、テンプルが眼鏡レンズに連結される直前の状態、（ロ）は、テンプルが眼鏡レンズに連結された状態をそれぞれ示している。
【図５】  連結構造の一実施形態を示す図であり、（イ）は、平面視の断面図、（ロ）は、正面図、（ハ）は、側面視の断面図である。
【図６】  従来の縁なし眼鏡を示す図であり、（イ）は、全体斜視図、（ロ）は、（イ）のＡ−Ａ線視の拡大断面図である。
【符号の説明】
１０  縁なし眼鏡          ２０  眼鏡レンズ
３０  ブリッジ            ３１  ブリッジ本体
３２  垂下杆              ３３  パッド支持杆
３４  ノーズパッド        ３５  ブリッジ側連結杆
４０  テンプル            ４１  テンプル本体
４２  イアピース          ４３  エンドピース
４４  接続軸              ４５  テンプル側連結杆
５０  連結構造            ５１  装着溝
５１ａ  ブリッジ用装着溝  ５１ｂ  テンプル用装着溝
５２  第一貫通孔
５２ａ  ブリッジ用第一貫通孔
５２ｂ  テンプル用第一貫通孔
５３  係止突条
５３ａ  ブリッジ側係止突条
５３ｂ  テンプル側係止突条
５４  座金                ５４ａ  ブリッジ側座金
５４ｂ  テンプル側座金    ５５  第二貫通孔
５５ａ  ブリッジ側第二貫通孔
５５ｂ  テンプル側第二貫通孔
５６  止着部材            ５７  ナット部材
５７ａ  円筒ナット        ５７ｂ  頭部
５８  ビス                ５８ａ  ビス本体
５８ｂ  頭部
【図１】
0003961235.tif 000002
【図２】
0003961235.tif 000003
【図３】
0003961235.tif 000004
【図４】
0003961235.tif 000005
【図５】
0003961235.tif 000006
【図６】
0003961235.tif 000007